(57)【特許請求の範囲】
【請求項１】
隣接する任意の根太掛、大引、土台にわたってそれぞれ架設され、床パネルと、この床パネルの裏面に所定間隔をおいて固定された複数本の根太と、床パネルと根太で区画される空間において床パネルの裏面に貼着された複数枚の硬質断熱材とから構成された洋室側の断熱床パネルユニットおよび和室側の断熱床パネルユニットと、からなり、床パネルに作用する曲げ荷重を根太および硬質断熱材が協同して支持する床構造であって、洋室側の断熱床パネルユニットに敷設される床板の表面と和室側の断熱床パネルユニットに敷設される畳の表面が連続するように、和室側の断熱床パネルユニットの根太および硬質断熱材の長さを隣接する任意の根太掛、大引、土台の間の間隔よりも短く形成してそれらの間に落とし込むとともに、その床パネルの板厚を洋室側の断熱床パネルユニットの床パネルの板厚よりも大きく形成したことを特徴とする床構造。
【請求項２】
根太掛は、その上面が外周基礎の上面よりも低い位置に配設され、また、洋室側の断熱床パネルユニットが根太掛と土台あるいは大引にわたって架設される場合、その断熱床パネルユニットの根太および硬質断熱材の下面一端部に切欠部が形成されて外周基礎および根太掛にわたって載置されることを特徴とする請求項１記載の床構造。
【発明の詳細な説明】
【０００１】
【発明の属する技術分野】
この発明は、床構造に関するものである。
【０００２】
【従来の技術】
従来、家屋の床工事を行う場合、まず、基礎や大引などに所定間隔をおいて根太を固定し、これらの根太の上面に床板を敷設するようにしている。このような床工事は、現場作業であるため、熟練した作業者が必要となる他、多くの作業時間を必要とする問題があった。
【０００３】
そこで、出願人は、特開平５−７９１１１号公報に記載されるように、床工事を簡単確実に、かつ、短時間で施工することのできる床板ユニットを出願している。
【０００４】
【発明が解決しようとする課題】
しかしながら、前述した床板ユニットを用いて和室と洋室を隣接して形成する床工事を行う場合、洋室の床板の表面と和室の畳の表面とを段差なく連続して形成するためには、和室側の床板ユニットを支持する根太掛や大引あるいは土台の高さを洋室側の床板ユニットを支持する根太掛や大引あるいは土台の高さに比較して畳の厚さ分だけ低くする必要がある。しかしながら、このような高さ調整は、コンクリートの誤差などにより正確な位置決めが困難であるとともに、煩雑な作業を必要とするものである。
【０００５】
また、和室側の床板ユニットの根太の両端部を畳の厚みだけ切り欠いて加工することも考えられるが、根太の高さが低くなり、畳を介して床パネルに作用する負荷を支持することができないという問題がある。
【０００６】
特に、天井高を確保するため、洋室側の床板ユニットの高さを低くした場合は、その低くした高さに相当して和室側の床板ユニットの高さをさらに下げる必要がある。
【０００７】
本発明は、このような問題点に鑑みてなされたもので、根太掛や大引あるいは土台の高さを変えることなく、また、床パネルに作用する負荷を確実に支持して和室の畳表面と洋室の床板表面とを段差なく連続させるとともに、天井高を確保することのできる床構造を提供するものである。
【０００８】
【課題を解決するための手段】
本発明は、隣接する任意の根太掛、大引、土台にわたってそれぞれ架設され、床パネルと、この床パネルの裏面に所定間隔をおいて固定された複数本の根太と、床パネルと根太で区画される空間において床パネルの裏面に貼着された複数枚の硬質断熱材とから構成された洋室側の断熱床パネルユニットおよび和室側の断熱床パネルユニットと、からなり、床パネルに作用する曲げ荷重を根太および硬質断熱材が協同して支持する床構造であって、洋室側の断熱床パネルユニットに敷設される床板の表面と和室側の断熱床パネルユニットに敷設される畳の表面が連続するように、和室側の断熱床パネルユニットの根太および硬質断熱材の長さを隣接する任意の根太掛、大引、土台の間の間隔よりも短く形成してそれらの間に落とし込むとともに、その床パネルの板厚を洋室側の断熱床パネルユニットの床パネルの板厚よりも大きく形成したことを特徴とするものである。
【０００９】
【発明の実施の形態】
以下、本発明の実施例の形態を図面に基づいて説明する。
【００１０】
図１には、本発明の床構造が示されており、この床構造は、外周基礎１１に取り付けられた根太掛１２と、間仕切基礎１３に固定された土台１４と、鋼製束１５に支持された大引１６と、隣接する任意の根太掛１２、土台１４、大引１６の間に架設された洋室側の断熱床パネルユニット１と、隣接する任意の根太掛１２、土台１４、大引１６の間に架設された和室側の断熱床パネルユニット１Ａと、から構成され、これらの根太掛１２、土台１４、大引１６の上面は、同一高さ位置に設定されている。
【００１１】
ここで、洋室側の断熱床パネルユニット１は、図２に示すように、正方形状の床パネル２と、この床パネル２の縦寸法よりもわずかに短い長さを有し、床パネル２の裏面に所定間隔をおいて配設された複数本の根太３と、隣接する一対の根太３，３の内面間間隔に相当する横寸法と根太３の長さに相当する縦寸法および根太３の高さよりもわずかに小さな高さの厚板形状に形成され、隣接する一対の根太３，３の対向する内側面にそれぞれ接して、さらに、一方の最外側の根太３の外側面に接してそれぞれ床パネル２の裏面に貼着された複数枚の硬質断熱材４と、からなり、複数本の根太３の幅の和と複数枚の硬質断熱材４の幅の和との総和は、床パネル２の横寸法と略一致するように設定されている。
【００１２】
ここで、硬質断熱材４は、例えば、ポリスチレンフォームＢ類３種が使用されており、床パネル２を支持することのできる強度部材として使用され、床パネル２に作用する負荷を根太３とともに支持することができるものである。このため、床パネル２の板厚を一定とした場合、硬質断熱材を用いない場合に比較して床パネル２に撓みを発生させないための根太３のスパンを大きくすることができ、あるいは、根太３の高さを低くすることができる。
【００１３】
なお、根太掛１２は、その上面が外周基礎１１の上面よりも下方に位置するように固定されており、このため、根太掛１２と土台１４あるいは大引１６にわたって洋室側の断熱床パネルユニット１が架設される場合、その根太３および硬質断熱材４の下面一端部には切欠部３ａ，４ａが形成されて外周基礎１１および根太掛１２に載置されるようになっている。このため、天井高さ位置を一定とした場合、外周基礎１１の上面と根太掛１２の上面との高さの差だけ床面を下げることが可能となる。この結果、前述した硬質断熱材４を使用することによって根太３の高さを低くすることができることと相まってより大きな天井高を確保することができるものである。
【００１４】
一方、和室側の断熱床パネルユニット１Ａは、図３に示すように、洋室側の断熱床パネルユニット１の床パネル２の縦横寸法と同一の縦横寸法を有するとともに、その板厚よりも大きな板厚に形成された床パネル２Ａと、洋室側の断熱床パネルユニット１の根太３の幅および高さと同じ幅および高さを有するとともに、床パネル２Ａの長さよりも短い長さに形成されて床パネル２Ａの裏面に所定間隔をおいて配設された複数本の根太３Ａと、隣接する一対の根太３Ａ，３Ａの内面間間隔に相当する横寸法と根太３Ａの長さに相当する縦寸法および根太３Ａの高さよりもわずかに小さな高さの厚板形状に形成され、隣接する一対の根太３Ａ，３Ａの対向する内側面にそれぞれ接して、さらに、一方の最外側の根太３Ａの外側面に接してそれぞれ床パネル２Ａの裏面に貼着され、根太３Ａと協同して床パネル２Ａに作用する負荷を支持する硬質断熱材４Ａと、根太３Ａの長手方向と直交する方向において床パネル２Ａの裏面両端縁部に貼着されたスペーサ５と、から構成されている。
【００１５】
なお、和室側の断熱床パネルユニット１Ａの根太３Ａおよび硬質断熱材４Ａの長さは、隣接する任意の根太掛１２、土台１４、大引１６の間の間隔よりもわずかに短く設定されており、このため、和室側の断熱床パネルユニット１Ａを隣接する任意の根太掛１２、土台１４、大引１６にわたって架設した場合、その根太３Ａおよび硬質断熱材４Ａは、それらの間に落とし込むことができるようになっている。この場合、和室側の断熱床パネルユニット１Ａの前後方向端部は、スペーサ５を介して床パネル２Ａが根太掛１２，土台１４、大引１６上に載置されるものである。ここで、和室側の断熱床パネルユニット１Ａの床パネル２Ａの板厚およびスペーサ５の板厚は、その床パネル２Ａに作用する負荷を充分に支持することができるように設定されている。したがって、床パネル２Ａの板厚とスペーサ５の板厚の和に相当する板厚の床パネルを使用することもできる。
【００１６】
ところで、洋室側の断熱床パネルユニット１においては、床パネル２は、その左右方向の一方の側端縁が最外側に配設されて側面が露出されている根太３の幅方向の中心線上に位置しており、また、その前後方向の一方の端縁が根太３の長手方向の一方の端縁から一定距離おいて根太３および硬質断熱材４の上面に載置されて根太３に釘固定されている。したがって、床パネル２の左右方向の他方の側端縁は、根太３の幅方向の半分の長さだけ最外側に配設された硬質断熱材４の側端縁を越えて庇状に突出されている他、床パネル２の前後方向の他方の端縁は、その一方の端縁と根太３の長手方向の一方の端縁との一定距離だけ根太３の長手方向の他方の端縁を越えて庇状に突出されている。
【００１７】
この結果、洋室側の断熱床パネルユニット１を左右方向に順に連続して配設すると、隣接する断熱床パネルユニット１，１において、一方の断熱床パネルユニット１の床パネル２の左右方向に庇状に突出している部分は、その側端面が他方の断熱床パネルユニット１の床パネル２の対向する側端面に突き合わされ、幅方向に半分露出された根太３の上面に載置されるものである（図４参照）。また、洋室側の断熱床パネルユニット１を前後方向に順に連続して配設すると、隣接する断熱床パネルユニット１，１において、一方の断熱床パネルユニット１の床パネル２の前後方向に庇状に突出している部分は、その端面が他方の断熱床パネルユニット１の床パネル２の対向する端面に突き合わされ、露出された根太３および硬質断熱材４の上面に載置されるものである。
【００１８】
このため、隣接する断熱床パネルユニット１，１において、一方の断熱床パネルユニット１の床パネル２を他方の断熱床パネルユニット１の根太３に釘固定することができる。
【００１９】
なお、外周基礎１１に取り付けられた根太掛１２に架設される端部に位置する洋室側の断熱床パネルユニット１においては、床パネル２の、根太３の長手方向にその端縁を越えて庇状に突出する部分が切除されている。
【００２０】
また、和室側の断熱床パネルユニット１Ａにおいても、床パネル２Ａの左右方向の一方の側端縁は、最外側に配設されて側面が露出されている根太３Ａの幅方向の中心線上に位置しており、このため、床パネル２Ａの左右方向の他方の側端縁は、根太３Ａの幅方向の半分の長さだけ最外側に配設された硬質断熱材４Ａの側端縁を越えて庇状に突出されている。
【００２１】
この結果、和室側の断熱床パネルユニット１Ａを左右方向に順に連続して配設すると、隣接する断熱床パネルユニット１Ａ，１Ａにおいて、一方の断熱床パネルユニット１Ａの床パネル２Ａの左右方向に庇状に突出している部分は、その側端面が他方の断熱床パネルユニット１Ａの床パネル２Ａの対向する側端面に突き合わされ、幅方向に半分露出された根太３Ａの上面に載置されるものである。
【００２２】
このように構成した洋室側の断熱床パネルユニット１および和室側の断熱床パネルユニット１Ａは、図１に示すように、隣接する任意の根太掛１２、土台１４、大引１６の間にわたってそれぞれ順次架設されることにより施工される。その後、洋室の場合は床パネル２の上に床板６を敷設する一方、和室の場合は床パネル２Ａの上に合板（図示せず）を介して畳７を敷設すればよい。
【００２３】
ここで、洋室と和室を区画するため、和室側の断熱床パネルユニット１Ａの端部および間仕切基礎１３上に固定された下地木８とにわたって敷居９が配設されており、図示しない鴨居と協同して戸などを取り付けることができるようになっている。この場合、和室側の断熱床パネルユニット１Ａに隣接する洋室側の断熱床パネルユニット１の一端部は、間仕切基礎１３上に載置されて土台１４に固定された添え木１０に載置固定されている。
【００２４】
この結果、床パネル２，２Ａに作用する負荷を根太３，３Ａおよび硬質断熱材４，４Ａが協同して支持することができることから相対的に根太３，３Ａの高さを低く形成することができ、その高さ分天井高を高くすることができる。しかも、和室側の断熱床パネルユニット１Ａの根太３Ａおよび硬質断熱材４Ａを隣接する任意の根太掛１２、土台１４、大引１６の間に落とし込むことができることにより、根太掛１２、土台１４、大引１６の上面を同一高さ位置に設定した状態で和室側の断熱床パネルユニット１Ａに敷設した畳７の表面と、洋室側の断熱床パネルユニット１に敷設した床板６の表面とを段差なく連続させることが可能となる。
【００２５】
また、根太掛１２の上面を外周基礎１１の上面よりも下方に位置するように配設し、合わせて洋室側の断熱床パネルユニット１の根太３および硬質断熱材４の下面一端部に切欠部３ａ，４ａを形成して外周基礎１１および根太掛１２にわたって載置させることにより、根太掛１２を低くした高さ分さらに大きな天井高を確保することができる。
【００２６】
【発明の効果】
以上のように本発明によれば、根太掛、大引、土台の高さを変化させることなく、また、洋室側の断熱床パネルユニットの床パネルおよび和室側の断熱床パネルユニットの床パネルに作用する負荷を確実に支持して洋室の床板表面と和室の畳表面とを段差なく連続させることができるとともに、より大きな天井高を確保することが可能となる。
【図面の簡単な説明】
【図１】本発明の床構造を示す断面図である。
【図２】洋室側の断熱床パネルユニットを示す斜視図および一部省略して示す側面図である。
【図３】和室側の断熱床パネルユニットを示す斜視図および一部省略して示す側面図である。
【図４】洋室側の断熱床パネルユニットを左右方向に複数枚敷設した状態を示す正面図である。
【符号の説明】
１，１Ａ  断熱床パネルユニット
２，２Ａ  床パネル
３，３Ａ  根太
３ａ  切欠部
４，４Ａ  硬質断熱材
４ａ  切欠部
５  スペーサ
６  床板
７  畳
８  下地木
９  敷居
１０  添え木
１１  外周基礎
１２  根太掛
１３  間仕切基礎
１４  土台
１５  鋼製束
１６  大引
【図１】
0003571491.tif 000002
【図２】
0003571491.tif 000003
【図３】
0003571491.tif 000004
【図４】
0003571491.tif 000005